(57)【要約】【課題】天井裏に設置されたフレームの内部の狭い空間で、遠心送風羽根着脱用の開口を工具を使用せずに開閉することができ、しかも風漏れ防止、性能維持ができることを目的とする。【解決手段】ケーシング４下面の吸込口８を形成するオリフィス９と、オリフィス９の外周端から下方に延設した吸込口外周壁１１と、吸込口外周壁１１の下端部から外方へ延設し、外周部の形状がフレーム３の内周面と略同形状の下面部１２と、下面部１２の外周端から上方へ延設した外周壁１３とを一体に形成し、上方に開口した凹部１４を有したオリフィスユニット１０を、工具を使用することなくケーシング４に着脱自在に設けることにより、遠心送風羽根５の着脱が容易となって、掃除性が向上し、オリフィスユニット１０とケーシング４との接合部からの微量な風漏れが起きて騒音が発生しても、漏れた風は凹部１４に流れて、騒音は室内へは伝播してこなくなる。【選択図】図２
2010164252.tif 000002
【特許請求の範囲】
【請求項１】
天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記遠心送風羽根を回転駆動する電動機とを備え、前記ケーシングは下面に前記遠心送風羽根の外径より大きい径の開口を有し、前記開口に着脱自在に接合され前記吸込口を形成するオリフィスと、前記オリフィスの外周端から下方に延設した吸込口外周壁と、前記吸込口外周壁の下端部から外方へ延設し、外周部の形状が前記フレームの内周面と略同形状の下面部と、前記下面部の外周端から上方へ延設した外周壁とを一体に形成し、前記吸込口外周壁と下面部と外周壁とから上方に開口した凹部を有したオリフィスユニットを、前記フレーム下面の開口から前記フレーム内の下方の空間で工具を使用することなく前記ケーシングに着脱自在に設けることを特徴とする天井埋込形換気扇。
【請求項２】
オリフィスユニットの下面部の外周端をフレームの内周面まで延設し、前記フレームの内周面に沿うように上方へ延設して外周壁を形成し、前記オリフィスユニットに形成された凹部を含む空洞を前記フレーム内に形成する請求項１記載の天井埋込形換気扇。
【請求項３】
オリフィスユニットの吸込口外周壁の下端部に、吸込口側と凹部内とを連通させるスリットを設けた請求項１または２記載の天井埋込形換気扇。
【請求項４】
スリットが下面部の最低位に位置するように、下面部に前記スリットに向かう傾斜を設けた請求項３記載の天井埋込形換気扇。
【請求項５】
フレームの側壁に他室からの空気を吸気するための吸気口を設けた天井埋込形換気扇にあって、オリフィスユニットの下面部に外周側が高くなる傾斜面を設けた請求項１〜４のいずれかに記載の天井埋込形換気扇。
【請求項６】
オリフィスユニットの下面部の外周部を段差をなして形成した請求項１または２記載の天井埋込形換気扇。
【請求項７】
オリフィスユニットの一側部に第１の係止片を、前記一側部と対向する側部に第２の係止片を、それぞれ設け、ケーシングの前記第１の係止片および第２の係止片に対応する位置に、前記第１の係止片および第２の係止片に係合する第１の係合部および第２の係合部を設け、前記第１の係止片はフック形状とした請求項１または２記載の天井埋込形換気扇。
【請求項８】
第１の係止片をコの字形状とした請求項７に記載の天井埋込形換気扇。
【請求項９】
フレームの下面開口を下方から覆うグリルを、前記グリルに設けた取り付けばねによってフレームの内部に設けた取付部に着脱自在に取り付ける天井埋込形換気扇にあって、前記グリルを前記第１の係止片および第２の係止片の近傍で取り付ける構成とした請求項７または８記載の天井埋込形換気扇。
【請求項１０】
第２の係止片を弾性変形する係止片とし、前記第２の係止片の近傍で対向する位置に指掛け部を設け、前記第２の係止片と前記指掛け部とを指で挟んでつまむ構成とした請求項７〜９のいずれかに記載の天井埋込形換気扇。
【請求項１１】
第２の係止片と指掛け部をフレームの内壁面に平行な方向に配置した請求項１０記載の天井埋込形換気扇。
【請求項１２】
指掛け部を弾性変形する構成とした請求項１０または１１記載の天井埋込形換気扇。
【請求項１３】
第１の係止片と、前記第１の係止片に係合する第１の係合部とを複数対設け、前記複数対の異なる対における前記第１の係止片、あるいは前記第１の係合部は異なる大きさとした請求項７〜１２のいずれかに記載の天井埋込形換気扇。
【請求項１４】
第１の係止片と、前記第１の係止片に係合する第１の係合部とを複数対設け、前記複数個の第１の係止片あるいは前記複数個の第１の係合部におけるそれぞれの本体中心からのピッチが異なる請求項７〜１２のいずれかに記載の天井埋込形換気扇。
【請求項１５】
オリフィスユニットの下面に、前記オリフィスユニット取り外し順序と方法の刻印を設けた請求項７〜１２のいずれかに記載の天井埋込形換気扇。
【請求項１６】
オリフィスユニットとケーシングを異なる色とした請求項１〜１５のいずれかに記載の天井埋込形換気扇。
【請求項１７】
ケーシングを暗い色、オリフィスユニットを前記ケーシングよりも明るい色とした請求項１６記載の天井埋込形換気扇。
【発明の詳細な説明】
【技術分野】
【０００１】
本発明は、天井に設けられた開口に埋め込まれて設置され、天井裏に配管され屋外と連通するダクトと接続する天井埋込形換気扇に関する。
【背景技術】
【０００２】
従来、この種の天井埋込形換気扇の一例として、特許文献１に記載されたものが知られている。
【０００３】
以下、その天井埋込形換気扇について図１３を参照しながら説明する。
【０００４】
図に示すように、下面にグリル１０１で覆われる吸込口１０２を有し、側面に吐出口１０３を設けた箱状のフレーム１０４と、屋外と連通するダクト１０５を接続するアダプター１０６と、フレーム１０４の内部には下面に吸込口であるオリフィス１０７を有したスクロール状のケーシング１０８と、ケーシング１０８内に配設され送風を行う遠心送風羽根１０９と、遠心送風羽根１０９を回転駆動する電動機１１０を備え構成していた。
【特許文献１】特開２００３−６５５８１号公報
【発明の開示】
【発明が解決しようとする課題】
【０００５】
このような従来の天井埋込形換気扇では、長時間の使用により室内の埃が遠心送風羽根１０９に付着して所要の換気性能を発揮できないような場合に、遠心送風羽根１０９を掃除しようとしてもオリフィス１０７が邪魔になり掃除の妨げとなっているという課題があった。
【０００６】
また、オリフィスを取り外して、羽根の着脱を行う換気扇として、例えば特開２００４−１６９９６７号公報に記載された換気装置が知られているが、この換気装置は図１４に示すように、フレーム１１１に内包された羽根１１２の着脱用の開口１１３の周辺部に係合孔１１４を設け、開口１１３に回動して取り付けられるオリフィス１１５の裏面に係合孔１１４に係合する着脱手段１１６を備えて構成しているが、フレーム１１１が天井埋込形換気扇のように天井面の高い位置に取り付けられた場合は、係合孔１１４と着脱手段１１６の位置を合わせて、オリフィス１１５をフレーム１１１に押し当てて挿入し、さらに回動して確実に固定するという操作は困難であり、さらに、羽根１１２を天井埋込形換気扇などで用いる高静圧の遠心送風羽根にした場合、オリフィス１１５とフレーム１１１の隙間や係合孔１１４から風漏れが発生して、風量の低下や騒音が発生するという課題があった。
【０００７】
本発明は、このような従来の課題を解決するものであり、天井裏という高い位置に取り付けられたフレームの内部の狭い空間で、遠心送風羽根を着脱するための開口を、ケーシングに工具を使用せずに開閉することができ、しかも、ケーシング開口を開閉するようにしても、風漏れ等を防止して、性能を維持することができ、取付性を向上させた天井埋込形換気扇を提供することを目的とする。
【課題を解決するための手段】
【０００８】
本発明の天井埋込形換気扇は、上記目的を達成するために、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記遠心送風羽根を回転駆動する電動機とを備え、前記ケーシングは下面に前記遠心送風羽根の外径より大きい径の開口を有し、前記開口に着脱自在に接合され前記吸込口を形成するオリフィスと、前記オリフィスの外周端から下方に延設した吸込口外周壁と、前記吸込口外周壁の下端部から外方へ延設し、外周部の形状が前記フレームの内周面と略同形状の下面部と、前記下面部の外周端から上方へ延設した外周壁とを一体に形成し、前記吸込口外周壁と下面部と外周壁とから上方に開口した凹部を有したオリフィスユニットを、前記フレーム下面の開口から前記フレーム内の下方の空間で工具を使用することなく前記ケーシングに着脱自在に設けるものである。
【０００９】
また、他の手段は、オリフィスユニットの下面部の外周端をフレームの内周面まで延設し、前記フレームの内周面に沿うように上方へ延設して外周壁を形成し、前記オリフィスユニットに形成された凹部を含む空洞を前記フレーム内に形成するものである。
【００１０】
また、他の手段は、オリフィスユニットの吸込口外周壁の下端部に、吸込口側と凹部内とを連通させるスリットを設けたものである。
【００１１】
また、他の手段は、スリットが下面部の最低位に位置するように、下面部に前記スリットに向かう傾斜を設けたものである。
【００１２】
また、他の手段は、フレームの側壁に他室からの空気を吸気するための吸気口を設けた天井埋込形換気扇にあって、オリフィスユニットの下面部に外周側が高くなる傾斜面を設けたものである。
【００１３】
また、他の手段は、オリフィスユニットの下面部の外周部を段差をなして形成したものである。
【００１４】
また、他の手段は、オリフィスユニットの一側部に第１の係止片を、前記一側部と対向する側部に第２の係止片を、それぞれ設け、ケーシングの前記第１の係止片および第２の係止片に対応する位置に、前記第１の係止片および第２の係止片に係合する第１の係合部および第２の係合部を設け、前記第１の係止片はフック形状としたものである。
【００１５】
また、他の手段は、第１の係止片をコの字形状としたものである。
【００１６】
また、他の手段は、フレームの下面開口を下方から覆うグリルを、前記グリルに設けた取り付けばねによってフレームの内部に設けた取付部に着脱自在に取り付ける天井埋込形換気扇にあって、前記グリルを前記第１の係止片および第２の係止片の近傍で取り付ける構成としたものである。
【００１７】
また、他の手段は、第２の係止片を弾性変形する係止片とし、前記第２の係止片の近傍で対向する位置に指掛け部を設け、前記第２の係止片と前記指掛け部とを指で挟んでつまむ構成としたものである。
【００１８】
また、他の手段は、第２の係止片と指掛け部をフレームの内壁面に平行な方向に配置したものである。
【００１９】
また、他の手段は、指掛け部を弾性変形する構成としたものである。
【００２０】
また、他の手段は、第１の係止片と、前記第１の係止片に係合する第１の係合部とを複数対設け、前記複数対の異なる対における前記第１の係止片、あるいは前記第１の係合部は異なる大きさとしたものである。
【００２１】
また、他の手段は、第１の係止片と、前記第１の係止片に係合する第１の係合部とを複数対設け、前記複数個の第１の係止片あるいは前記複数個の第１の係合部におけるそれぞれの本体中心からのピッチが異なるものである。
【００２２】
また、他の手段は、オリフィスユニットの下面に、前記オリフィスユニット取り外し順序と方法の刻印を設けたものである。
【００２３】
また、他の手段は、オリフィスユニットとケーシングを異なる色としたものである。
【００２４】
また、他の手段は、ケーシングを暗い色、オリフィスユニットを前記ケーシングよりも明るい色としたものである。
【発明の効果】
【００２５】
本発明によれば、ケーシングが下面に前記遠心送風羽根の外径より大きい径の開口を有し、この開口に着脱自在に接合され吸込口を形成するオリフィスと、オリフィスの外周端から下方に延設した吸込口外周壁と、吸込口外周壁の下端部から外方へ延設し、外周部の形状が前記フレームの内周面と略同形状の下面部と、下面部の外周端から上方へ延設した外周壁とを一体に形成し、吸込口外周壁と下面部と外周壁とから上方に開口した凹部を有したオリフィスユニットを、フレーム下面の開口からフレーム内の下方の空間で工具を使用することなくケーシングに着脱自在に設けることにより、オリフィスユニットの取り外し、取り付けが容易となり、天井裏という高い位置に取り付けられたフレームの内部の狭い空間で、遠心送風羽根の着脱が容易となって、掃除性が向上し、また、オリフィスをケーシングに対し着脱自在とすることにより、その接合部からの微量な風漏れが起きて騒音が発生しても、漏れた風はオリフィスユニットの凹部側に流れて、騒音は使用者側の室内へは伝播してこなく、騒音の増大を阻止できるという効果のある天井埋込形換気扇を提供することができる。
【００２６】
また、オリフィスユニットの下面部の外周端をフレームの内周面まで延設し、フレームの内周面に沿うように上方へ延設して外周壁を形成し、オリフィスユニットに形成された凹部を含む空洞をフレーム内に形成することにより、オリフィスユニットの取り外し、取り付けがより容易となって、掃除性がより向上するとともに、ケーシングとオリフィスとの接合部からの微量な風漏れによる騒音もより減衰することになる。
【００２７】
また、オリフィスユニットの吸込口外周壁の下端部に、吸込口側と凹部内とを連通させるスリットを設けたことにより、吸込み口から放射される騒音を、凹部内で共鳴消音させ、送風騒音を低騒音化できる。
【００２８】
また、スリットが下面部の最低位に位置するように、下面部にスリットに向かう傾斜を設けたことにより、オリフィスユニットの凹部に発生した水滴をスリットから排出し、空洞内部に湿気がこもることを防止することで、かびの発生および雑菌の繁殖を抑制することができる。
【００２９】
また、フレームの側壁に他室からの空気を吸気するための吸気口を設けた天井埋込形換気扇にあって、オリフィスユニットの下面部に外周側が高くなる傾斜面を設けたことにより、他室の換気も同時にするタイプの天井埋込形換気扇であっても、オリフィスユニットが他室からの送風を妨げることがなく、送風性能を維持させることが可能となる。
【００３０】
また、オリフィスユニットの下面部の外周部を段差をなして形成したことにより、剛性が高まり、形状が安定するとともに、ケーシングへの取り付けがしやすくなる。
【００３１】
また、オリフィスユニットの一側部に第１の係止片を、その一側部と対向する側部に第２の係止片を、それぞれ設け、ケーシングの第１の係止片および第２の係止片に対応する位置に、第１の係止片および第２の係止片に係合する第１の係合部および第２の係合部を設け、第１の係止片はフック形状としたことにより、オリフィスユニットは、第２の係止片を外してもケーシングから外れないので、片手でのオリフィスユニットの取り外しが可能となる。
【００３２】
また、第１の係止片をコの字形状としたことにより、オリフィスユニットの着脱時における落下防止機能が向上する。
【００３３】
また、フレームの下面開口を下方から覆うグリルを、第１の係止片および第２の係止片の近傍で取り付ける構成としたことにより、ケーシングの形状の簡略化および材料削減を図ることができ、また、オリフィスユニットはグリルと同じ箇所で取り付けるので、その取付方向が分かりやすいものとなる。
【００３４】
また、第２の係止片を弾性変形する係止片とし、第２の係止片の近傍で対向する位置に指掛け部を設け、第２の係止片と指掛け部とを指で挟んでつまむ構成としたことにより、第１の係止片を係止した状態で、片方の手の指で第２の係止片と指掛け部とを挟んでつまむ操作をすることによって、片方の手でオリフィスユニットを着脱できる。
【００３５】
また、第２の係止片と指掛け部をフレームの内壁面に平行な方向に配置したことにより、低騒音化を確保しながら、より確実な取付性が得られる。
【００３６】
また、指掛け部を弾性変形する構成としたことにより、フレーム内の限られたスペースの中で、オリフィスユニットの凹部を最大限確保しつつ、第２の係止片をより大きなストロークで弾性変形させることができ、低騒音化を図ったうえで、より確実な着脱操作が可能となる。
【００３７】
また、第１の係止片と、第１の係止片に係合する第１の係合部とを複数対設け、複数対の異なる対における第１の係止片、あるいは第１の係合部は異なる大きさとしたことにより、オリフィスユニットが誤って裏表逆に取り付けられるのを防止できる。
【００３８】
また、第１の係止片と、第１の係止片に係合する第１の係合部とを複数対設け、複数個の第１の係止片あるいは複数個の第１の係合部におけるそれぞれの本体中心からのピッチが異なることにより、オリフィスユニットが誤って裏表逆に取り付けられるのを防止できる。
【００３９】
また、オリフィスユニットの下面に、オリフィスユニット取り外し順序と方法の刻印を設けたことにより、取扱説明書を見に行かなくても操作方法がわかり、お手入れの作業性が向上する。
【００４０】
また、オリフィスユニットとケーシングを異なる色としたことにより、オリフィスユニットとケーシングが分離可能な部品であることが一目で判別でき、操作がしやすいものとなる。
【００４１】
また、ケーシングを暗い色、オリフィスユニットをケーシングよりも明るい色としたことにより、さらにオリフィスユニットとケーシングが分離可能な部品であることが一目で判別しやすくなる。
【発明を実施するための最良の形態】
【００４２】
本発明の請求項１記載の天井埋込形換気扇は、ケーシングは下面に遠心送風羽根の外径より大きい径の開口を有し、前記開口に着脱自在に接合され吸込口を形成するオリフィスと、前記オリフィスの外周端から下方に延設した吸込口外周壁と、前記吸込口外周壁の下端部から外方へ延設し、外周部の形状がフレームの内周面と略同形状の下面部と、前記下面部の外周端から上方へ延設した外周壁とを一体に形成し、前記吸込口外周壁と下面部と外周壁とから上方に開口した凹部を有したオリフィスユニットを、前記フレーム下面の開口から前記フレーム内の下方の空間で工具を使用することなく前記ケーシングに着脱自在に設けるものであり、羽根を着脱するために外したオリフィスユニットは、その外周部の形状がフレームの内周面と略同形であるので、取り付け方向が容易に判別でき、また、オリフィスをケーシングから着脱自在としたことにより、送風時に発生する圧力でケーシングとオリフィスとの接合部から微量な風漏れが起きても凹部側へ流れ、その際発生する騒音も室内側へはほとんど伝播してこなくなるという作用を有する。
【００４３】
また、請求項２記載の天井埋込形換気扇は、オリフィスユニットの下面部の外周端をフレームの内周面まで延設し、前記フレームの内周面に沿うように上方へ延設して外周壁を形成し、前記オリフィスユニットに形成された凹部を含む空洞を前記フレーム内に形成するものであり、オリフィスユニットは、外周壁をフレームの内周面に沿わせることで、取り付け方向がより容易に判別でき、そして、取り付け状態は、フレームの内周面に沿う外周壁によって安定した状態となり、また、ケーシングとオリフィスとの接合部から微量な風漏れが起きるときに発生する騒音は、空洞内で共鳴消音され、室内側への伝播はより小さくなる。
【００４４】
また、請求項３記載の天井埋込形換気扇は、オリフィスユニットの吸込口外周壁の下端部に、吸込口側と凹部内とを連通させるスリットを設けたものであり、遠心送風羽根の送風により発生し、オリフィス吸込み口から放射される騒音を、凹部内に伝播させて空洞内で共鳴消音させる。
【００４５】
また、請求項４記載の天井埋込形換気扇は、スリットが下面部の最低位に位置するように、下面部に前記スリットに向かう傾斜を設けたものであり、オリフィスユニットの凹部で結露などにより発生した水滴が、傾斜によってスリットに導かれ、オリフィスユニット外へ排出される。
【００４６】
また、請求項５記載の天井埋込形換気扇は、フレームの側壁に他室からの空気を吸気するための吸気口を設けた天井埋込形換気扇にあって、オリフィスユニットの下面部に外周側が高くなる傾斜面を設けたものであり、他室から吸気口を介して吸気する風路を広げるとともに、吸気流の流れをスムーズにオリフィスの吸込口に誘導することができる。
【００４７】
また、請求項６記載の天井埋込形換気扇は、オリフィスユニットの下面部の外周部を段差をなして形成したものであり、オリフィスユニットを、使用材料を増やすことなく剛性を高めることができる。
【００４８】
また、請求項７記載の天井埋込形換気扇は、オリフィスユニットの一側部に第１の係止片を、前記一側部と対向する側部に第２の係止片を、それぞれ設け、ケーシングの前記第１の係止片および第２の係止片に対応する位置に、前記第１の係止片および第２の係止片に係合する第１の係合部および第２の係合部を設け、前記第１の係止片はフック形状としたものであり、オリフィスユニットを取り外すときに、第２の係止片を外すと、もう一方の第１の係止片が第１の係合部に引っ掛って吊り下げ状態となり、オリフィスはケーシングに保持される。
【００４９】
また、請求項８記載の天井埋込形換気扇は、第１の係止片をコの字形状としたものであり、第２の係止片を外し、第１の係止片が引っ掛った状態での保持力が増大する。
【００５０】
また、請求項９記載の天井埋込形換気扇は、フレームの下面開口を下方から覆うグリルを、前記グリルに設けた取り付けばねによってフレームの内部に設けた取付部に着脱自在に取り付ける天井埋込形換気扇にあって、前記グリルを前記第１の係止片および第２の係止片の近傍で取り付けるものであり、ケーシングの第１の係合部あるいは第２の係合部と、グリルの取付部とを一体に設けることができる。
【００５１】
また、請求項１０記載の天井埋込形換気扇は、第２の係止片を弾性変形する係止片とし、前記第２の係止片の近傍で対向する位置に指掛け部を設け、前記第２の係止片と前記指掛け部とを指で挟んでつまむとしたものであり、片方の手の指で第２の係止片と指掛け部とを挟んでつまむ操作をすることによって、その係合を解除することができる。
【００５２】
また、請求項１１記載の天井埋込形換気扇は、第２の係止片と指掛け部をフレームの内壁面に平行な方向に配置したものであり、本体フレーム内という限られたスペースの中で、オリフィスの空洞を最大限に確保しつつ、より大きなストロークで弾性変形する第２の係止片を設けることができる。
【００５３】
また、請求項１２記載の天井埋込形換気扇は、指掛け部を弾性変形する構成としたものであり、指掛け部を弾性変形させながら第２の係止片を大きいストロークで弾性変形することができることとなる。
【００５４】
また、請求項１３記載の天井埋込形換気扇は、第１の係止片と、前記第１の係止片に係合する第１の係合部とを複数対設け、前記複数対の異なる対における前記第１の係止片、あるいは前記第１の係合部は異なる大きさとしたものであり、オリフィスユニットを取付けるとき、誤ってオリフィスユニットを裏表逆にして取り付けようとしても、係合しようとする第１の係止片と第１の係合部の大きさが対応しないために取り付かない。
【００５５】
また、請求項１４記載の天井埋込形換気扇は、第１の係止片と、前記第１の係止片に係合する第１の係合部とを複数対設け、前記複数個の第１の係止片あるいは前記複数個の第１の係合部におけるそれぞれの本体中心からのピッチが異なるものであり、オリフィスユニットを取付けるとき、誤ってオリフィスユニットを裏表逆にして取り付けようとしても、係合しようとする第１の係止片と第１の係合部の本体中心からのピッチが異なって取り付かない。
【００５６】
また、請求項１５記載の天井埋込形換気扇は、オリフィスユニットの下面に、前記オリフィスユニット取り外し順序と方法の刻印を設けたものであり、お手入れするとき、羽根を着脱する場所で、オリフィスユニットの着脱方法がわかる。
【００５７】
また、請求項１６記載の天井埋込形換気扇は、オリフィスユニットとケーシングを異なる色としたものであり、ケーシングと一体になっているオリフィスユニットを取り外す際、ケーシングとオリフィスユニットが別部品であることが判別できる。
【００５８】
また、請求項１７記載の天井埋込形換気扇は、ケーシングを暗い色、オリフィスユニットを前記ケーシングよりも明るい色としたものであり、ケーシングと一体になっているオリフィスユニットを取り外す際、暗い色で形成されるケーシングに対して、明るい色で形成されるオリフィスユニットが収縮色と膨張色による錯覚により、オリフィスユニットが目立つこととなる。
【００５９】
以下、本発明の実施の形態について、図１〜図１２を参照しながら説明する。
【００６０】
（実施の形態１）
実施の形態１の天井埋込形換気扇は、図１および図２に示すように、天井裏に取り付けられ、側面に屋外と連通するダクト１と接続するアダプター２および下面に室内側に臨む開口３ａを有した箱状のフレーム３と、フレーム３の内部に配設され、下面に吸込口８を有し側面にアダプター２と連通する吐出口（図示せず）を有したスクロール状のケーシング４と、ケーシング４の内部に配設され、室内の空気をダクト１を介して屋外へ排出するための送風を行う遠心送風羽根５と、遠心送風羽根５を回転駆動する電動機６とを備え、ケーシング４は下面に遠心送風羽根５の外径よりも大きい径のケーシング開口７を備え、このケーシング開口７の下面に遠心送風羽根５の外径よりも小さい径の吸込口８を形成したオリフィス９を備えたオリフィスユニット１０を着脱自在に設けている。
【００６１】
図２に示すように、オリフィスユニット１０は、オリフィス９の外周端から下方に延設した吸込口外周壁１１と、吸込口外周壁１１の下端部から外方へ延設し、その外周部の形状がフレーム３の内周面と略同形状の下面部１２と、下面部１２の外周端から上方へ延設した外周壁１３とを一体に形成し、吸込口外周壁１１と下面部１２と外周壁１３とから上方に開口した凹部１４を有している。
【００６２】
また、吸込口外周壁１１の下端部には、吸込口８側と凹部１４内とを連通させるスリット１５を設け、下面部１２はスリット１５が最も低い位置になるようにスリット１５に向かう傾斜によって構成され、その傾斜の最も高い位置に当たる外周部には凹部１４をもう一段階凹ませるような段差２８を設けている。
【００６３】
図３に示すように、オリフィスユニット１０の一側部に、互いに幅の異なる２個の係止性の高いフック形状であるコの字形状の係止片１６Ａ、１６Ｂからなる第１の係止片１６を設け、第１の係止片１６と対向する側部に、指で挟んでつまむことができるように弾性変形する２個の係止片１７Ａ、１７Ｂからなる第２の係止片１７をフレーム３の内壁面に平行な方向に５０ｍｍ〜１００ｍｍの間隔で配置させて構成し、ケーシング４の第１の係止片１６に対応する位置に第１の係止片１６と係合する第１の係合部１８（係合部１８Ａ、１８Ｂからなる）と、第２の係止片１７に対応する位置に第２の係止片１７と係合する第２の係合部１９（係合部１９Ａ、１９Ｂからなる）を設け、図４に示すように、オリフィスユニット１０の第１の係止片１６をケーシング４の第１の係合部１８に引掛けてから、オリフィスユニット１０を上方に押し付けて第２の係止片１７を第２の係合部１９に押し込み、オリフィスユニット１０をケーシング４に取り付ける構成としている。
【００６４】
また、図５および図６に示すように、フレーム３下面の開口３ａを下方から覆うグリル２０に設けた取り付けばね２１を、フレーム３の内部であってケーシング４の第１の係合部１８と第２の係合部１９の近傍に設けた取付部２２，２２に係止して、グリル２０をフレーム３に取り付ける構成としている。
【００６５】
そして、ケーシング４を暗い色で形成し、オリフィスユニット１０はケーシング４よりも明るい色で形成するとともに、図１に示すように、その下面で第２の係止片１７近傍にオリフィスユニット１０の取り外し順序と方法を示した刻印２３を設けている。
【００６６】
上記構成において、長時間の運転により遠心送風羽根５に付着した室内の埃を掃除するときには、図７に示すように、オリフィスユニット１０の第２の係止片１７の２個の係止片１７Ａ，１７Ｂの一方に親指をかけ、もう一方に人差し指で力を加えて、片方の手の指でつまむ操作を行うと、係止片１７Ａ、１７Ｂが２個とも、並んで配置されたその中心に向かって弾性変形をして、係合していた爪２４がケーシング４の第２の係合部１９から外れ、オリフィスユニット１０を手前に引き下ろすことができ、図４および図８に示すように、オリフィスユニット１０の第１の係止片１６はコの字形状によってケーシング４の第１の係合部１８に吊り下がった状態でケーシング４に保持されるので、片手でオリフィスユニット１０の取り外し操作を行っても安全であり、オリフィスユニット１０を上方に持ち上げれば容易に第１の係止片１６と第１の係合部１８の係合が解除されるので、天井裏という高い位置に設けられ、暗く狭いフレーム３の空間内で、オリフィスユニット１０をケーシング４から工具を使用せずに片手で取り外しでき、オリフィスユニット１０を取り外すことによってケーシング４の下面に遠心送風羽根５を取り出すことが可能なケーシング開口７を形成できる。
【００６７】
そして、図１および図７に示すように、第２の係止片１７をフレーム３の内壁面に平行な方向に配置させているので、オリフィスユニット１０の中央部に備えたオリフィス９とのスペースの干渉を気にすることがなく、また、第２の係止片１７に大きなストロークで弾性変形を持たせることができるので、爪２４と第２の係合部１９との掛かり代をより大きなものにしても少ない力でその係合を解除することができ、確実な取り付け性を確保しながら、容易な取り外し性が得られることとなる。また、適度な間隔で第２の係止片１７を設けることができるので、オリフィスユニット１０を取り外すとき、片方の手でオリフィスユニット１０を支えるため力を掛けやすく、無理なく安全な取り外し作業が行えることとなる。
【００６８】
また、お掃除のときグリル２０を外すと開放されるフレーム３の内部は非常に狭小で暗いが、ケーシング４と一体に取り付いているオリフィスユニット１０は、暗い色で形成されるケーシング４に対して、明るい色で形成されるので収縮色と膨張色による錯覚により、オリフィスユニット１０が目立つこととなり、オリフィスユニット１０が分離可能な部品であることが一目で容易に判別できることとなる。またオリフィスユニット１０の第２の係止片１７の近傍に設けた刻印２３の表示に従って、その順序と方法どおり操作を行うことで確実に作業が行えることとなる。
【００６９】
そして、オリフィスユニット１０をケーシング４に取り付けるときには、図１および図６に示すように、オリフィスユニット１０の外周壁１３の形状がフレーム３の内周面と略同形状であるのに加え、グリル２０を取り付けるための取付部２２と第１の係合部１８、第２の係合部１９を近接させ取付構造部を一方向に集結させることで、取り付け方向が容易に判別でき、オリフィスユニット１０の第１の係止片１６を第１の係合部１８に引掛けて、オリフィスユニット１０をケーシング４の下面のケーシング開口７に対して上方に押し込めば、図４に示すように、２箇所に設けた第１の係止片１６によってオリフィスユニット１０は傾くことなく、オリフィスユニット１０の第２の係止片１７がケーシング４の第２の係合部１９の位置に誘い込まれることとなり、図７に示すように、第２の係止片１７が弾性変形をしながら第２の係合部１９に押し込まれ、第２の係止片１７が第２の係合部１９にクリック音を発生させながら係合し、オリフィスユニット１０をケーシング４に容易に取付けることができる。また、グリル２０を取り付けるための取付部２２と第１の係合部１８、第２の係合部１９を近接させ取付構造部を一方向に集結させることで、取付構造部を一体に形成することも可能となる。
【００７０】
また、ケーシング４にオリフィスユニット１０を取り付けるときには、ケーシング４の側面のほぼ対向する位置の二箇所に設けた第１の係止片１６および第２の係止片１７と、第１の係止片１６と係合する第１の係合部１８および第２の係止片１７と係合する第２の係合部１９とは、どちらか一方の係合が不完全な状態では落下もしくは吊り下げ状態となって、オリフィスユニット１０がケーシング４に取り付けることができず、両方の係止片１６，１７と係合部１８，１９が確実に係合されることにより、オリフィスユニット１０とケーシング４が完全に取付固定されることとなる。
【００７１】
また、図９および図１０に示すように、オリフィスユニット１０の向きが正規方向でないと、オリフィスユニット１０の第１の係止片１６をケーシング４の第１の係合部１８に引掛けるときに、係止片１６Ａ、１６Ｂを異なる幅で形成しているので、これらの幅に対応する幅に形成されたケーシング４の第１の係合部１８の係合部１８Ａ、１８Ｂに引掛けることができず、オリフィスユニット１０がケーシング４に取付固定できないこととなる。
【００７２】
また、天井埋込形換気扇運転時には、遠心送風羽根５の回転送風により発生する静圧によって、オリフィスユニット１０とケーシング４との間に隙間があると風漏れが発生するが、図１１に示すように、第１の段差部２５と第２の段差部２６による三面重合の接合部２７が形成するようにしているので、ケーシング４とオリフィスユニット１０との接合部２７における風漏れはほとんどなくなり、ここでの微量な風漏れにより発生する騒音は、オリフィスユニット１０の吸込口外周壁１１と下面部１２と外周壁１３とからなる凹部１４に放出されるので、フレーム３の開口３ａから室内側へ直接放出されることを防ぐこととなり、遠心送風羽根５の回転送風により発生して、オリフィス９の吸込口８から放射される騒音は、吸込口外周壁１１の下端部に設けたスリット１５により凹部１４の内部に伝播させ、凹部１４内部で共鳴消音されることとなる。
【００７３】
また、凹部１４の内部で結露などにより発生した水滴は、下面部１２の傾斜によってスリット１５の方に流れていき、凹部１４の外へ排出されることとなる。
【００７４】
また、図２に示すように、オリフィスユニット１０の下面部１２の外周部に段差２８を設けることで、オリフィスユニット１０はリブ等による補強は最小限とすることができ、使用材料量を必要以上に増やすことなく高い剛性が得られることとなり、オリフィスユニット１０を軽量に保ったままでも形状が安定し、安全な取り外し性と確実な取り付け性が得られることとなる。
【００７５】
このように本発明の実施の形態１の天井埋込形換気扇によれば、天井裏という高い位置に取り付けられたフレーム３内部の狭い空間で、工具を使用せずにオリフィスユニット１０を取り外して形成されるケーシング開口７から遠心送風羽根５を取り外して掃除することができ、開口７に対するオリフィスユニット１０の着脱操作を第２の係止片１７を片手の指でつまむ操作により、工具を使用せずに容易に行うことができるとともに、このとき、もう一方の第１の係止片１６のコの字形状はケーシング４の第１の係合部１８に引掛かり、オリフィスユニット１０が吊り下げ状態で保持されるので、操作を誤ってもオリフィスユニット１０は落下することはなく、分解性に優れ、掃除性、安全性を向上させた天井埋込形換気扇を提供することができる。
【００７６】
また、オリフィスユニット１０を取り付けるときにも、オリフィスユニット１０の外周壁１３の形状とフレーム３の形状からその方向を合わせることで、第１の係止片１６を引掛けるケーシング４の第１の係合部１８の位置も一目で判別がつくので、オリフィスユニット１０をケーシング４に取り付けることが容易にでき、組立性に優れ、掃除性が向上した天井埋込形換気扇を提供することができる。
【００７７】
また、第２の係止片１７をフレーム３の内壁面に平行な方向に配置することで大きなストロークを確保し弾性変形させることができるので、オリフィスユニット１０の固定時には大きな掛かり代の係合を確保しつつ、オリフィスユニット１０を着脱するときはより無理のない力で容易な着脱が可能となり、着脱操作性や固定状態の安全性に優れた天井埋込形換気扇を提供することができる。
【００７８】
また、第２の係止片１７をフレーム３の内壁面に平行な方向に５０〜１００ｍｍの間隔で配置させた構成は、オリフィスユニット１０を取り外すとき、そのオリフィスユニット１０が大きく重いものであっても片方の手で安定して操作、保持することができ、片方の手の指で無理なくつまんで操作できるものである。
【００７９】
また、オリフィスユニット１０とケーシング４が分離可能な構成要素であることが一目で判別することができ、取扱説明書などを確認することなくオリフィスユニット１０をケーシング４から取り外す手順を理解することができるので、使用者が迷うことなく、遠心送風羽根５の掃除が可能となる。
【００８０】
また、掃除後の取り付け時にも、オリフィスユニット１０が誤った方向に取付けられることや、不完全な状態で取り付けられることを構成上防止しており、正規の状態でオリフィスユニット１０が取り付いたときにはクリック音によりオリフィスユニット１０がケーシング４に確実に固定されたことを耳で確認することができるようにしているので、掃除後の操作においても使用者が迷ったり、誤った状態で使用されることはなく、換気運転を正常に再開することができる。
【００８１】
また、オリフィスユニット１０をケーシング４から着脱自在としても、三面の重合接合により接合部２７の隙間から発生する風漏れをほとんどなくし、送風性能を維持することができ、そこでの微量な風漏れにより発生する騒音は凹部１４へ放出され遮音することができ、オリフィス９の吸込口８から放射される送風騒音は凹部１４とスリット１５により共鳴消音され、さらに低騒音化することができるので、性能低下がほとんどなく、低騒音で、分解性、組立性に優れ、掃除性が向上した天井埋込形換気扇を提供することができることとなる。
【００８２】
また、結露などにより凹部１４内に発生した水滴による凹部１４内の湿気のこもりを防止することができ、凹部１４内部および周辺部でのかびの発生および雑菌の繁殖を抑制することができる。
【００８３】
さらに、接合部２７に柔らかい弾性材料や発泡材料などで形成されるシール構造を設ける構成とすれば、さらなる風漏れ防止の効果を得ることができる。
【００８４】
なお、第１の係止片１６はコの字形状に限定されるものではなく、Ｌの字形状やＵの字形状等のフック形状で、オリフィスユニット１０が吊り下がった状態で保持される形状であれば、その作用効果に差異はない。
【００８５】
なお、本実施の形態１では、第１の係止片１６と第１の係合部１８を設ける箇所を２箇所としたが、これに限定されるものではなく、複数箇所であればよいことはいうまでもない。
【００８６】
また、第１の係止片１６は幅の異なる２個（複数個）の係止片１６Ａ、１６Ｂとしたが、これに限定されるものではなく、複数個の本体中心からのピッチが異なれば、その作用効果に差異はない。
【００８７】
（実施の形態２）
実施の形態２の天井埋込形換気扇は、図１２に示すように、上記実施の形態１の天井埋込形換気扇に対し、ケーシング４Ａとは別体の構成要素であるオリフィスユニット１０Ａを下面部１２Ａの外周端をフレーム３の内周面まで延設し、フレーム３の内周面に沿うように上方へ延設して外周壁１３Ａ形成し、オリフィスユニット１０Ａに形成された凹部１４Ａを含む空洞２９をフレーム３の内部に形成した点に特徴がある。
【００８８】
上記構成により、オリフィスユニット１０Ａをケーシング４Ａに取り付けるとき、外周壁１３Ａをフレーム３の内周面に沿わせることで取り付け方向がより容易に判別できるとともに、固定状態も外周壁１３Ａとフレーム３の内周面が当接しているために、オリフィスユニット１０Ａは傾くことがなく、また、ケーシング４Ａとオリフィス９Ａとの接合部２７Ａから微量な風漏れが起こるときに発生する騒音は、室内側とは仕切られた空洞２９内で共鳴騒音され、室内側への伝播はより小さくなる。
【産業上の利用可能性】
【００８９】
本発明は、遠心送風羽根の掃除を行うときの部品の分解性、組立性、操作性が良く、またケーシング吸込口周辺からの風漏れが少なく、吸込口から放射される騒音を低減することができ、遠心送風羽根の掃除を要する換気装置や遠心送風機、空気調和機に有用である。
【図面の簡単な説明】
【００９０】
【図１】本発明の実施の形態１の天井埋込形換気扇を示す斜視図
【図２】同天井埋込形換気扇を示す断面図
【図３】同天井埋込形換気扇における遠心送風羽根の着脱状況を示す斜視図
【図４】同天井埋込形換気扇におけるオリフィスユニットの着脱状況を示す斜視図
【図５】同天井埋込形換気扇におけるグリル取付状態を示す分解斜視図
【図６】同天井埋込形換気扇のグリル取り外し時の正面図
【図７】同天井埋込形換気扇の第２の係止片の係合状態を示す断面図
【図８】同天井埋込形換気扇の第１の係止片の係合状態を示す拡大図
【図９】同天井埋込形換気扇のオリフィスユニット誤取付状況を示す斜視図
【図１０】同オリフィスユニット誤取付状況を示す要部詳細図
【図１１】同天井埋込形換気扇のケーシングとオリフィスユニットの接合部を示す断面図
【図１２】本発明の実施の形態２の天井埋込形換気扇を示す断面図
【図１３】従来の天井埋込形換気扇を示す断面図
【図１４】従来の他の換気装置を示す斜視図
【符号の説明】
【００９１】
３      フレーム
４      ケーシング
５      遠心送風羽根
６      電動機
７      ケーシング開口
８      吸込口
９      オリフィス
１０    オリフィスユニット
１０Ａ  オリフィスユニット
１１    吸込口外周壁
１２    下面部
１２Ａ  下面部
１３    外周壁
１３Ａ  外周壁
１４    凹部
１５    スリット
１６    第１の係止片
１７    第２の係止片
１８    第１の係合部
１９    第２の係合部
２０    グリル
２１    取り付けばね
２２    取付部
２３    刻印
２８    段差
２９    空洞
【図１】
2010164252.tif 000003
【図２】
2010164252.tif 000004
【図３】
2010164252.tif 000005
【図４】
2010164252.tif 000006
【図５】
2010164252.tif 000007
【図６】
2010164252.tif 000008
【図７】
2010164252.tif 000009
【図８】
2010164252.tif 000010
【図９】
2010164252.tif 000011
【図１０】
2010164252.tif 000012
【図１１】
2010164252.tif 000013
【図１２】
2010164252.tif 000014
【図１３】
2010164252.tif 000015
【図１４】
2010164252.tif 000016